(57)【要約】管内に炭酸ガスを間欠的にまたは連続的に打ち込んで、該管内の水中に溶存した該炭酸ガスの発泡作用により該管の内部を洗浄する管の洗浄方法により、大掛かりな設備や作業工程を必要とせず、短時間で確実にかつ極めて衛生的に管の内壁面を洗浄することができ、併せて、管の水漏れ調査を行うことも可能となる。また、井戸管内に、圧縮空気を間欠的にまたは連続的に打ち込むと同時に、高圧水を噴射して、該井戸管の内部を洗浄する井戸管の洗浄方法により、圧縮空気と高圧水との相乗効果で、作業時間や工程を削減して、短時間で容易に、かつ、効率よく井戸管の内部を洗浄することができる。
2002055225.tif 000002
【特許請求の範囲】
【請求項１】
管内に炭酸ガスを間欠的にまたは連続的に打ち込んで、該管内の水中に溶存した該炭酸ガスの発泡作用により該管の内部を洗浄することを特徴とする管の洗浄方法。
【請求項２】
前記管内に水を流通させることにより、前記溶存した炭酸ガスを気化させ、気化した該炭酸ガスの作用により該管の内部を洗浄する請求の範囲第１項記載の管の洗浄方法。
【請求項３】
炭酸ガスが充填されたガスボンベと、該ガスボンベより送り込まれた炭酸ガスを間欠的にまたは連続的に吐出させる分散機と、該分散機と洗浄すべき管とを連通させる接続ホースとを備えることを特徴とする管の洗浄装置。
【請求項４】
前記分散機と接続ホースとの間に、前記管内の圧力が一定以上に達した場合に該管内のガスおよび水を外部に排出させるための圧力弁が設けられている請求の範囲第３項記載の管の洗浄装置。
【請求項５】
前記分散機と接続ホースとの間に、粉末状の発泡剤を投入するための発泡剤投入器が接続されている請求の範囲第３項記載の管の洗浄装置。
【請求項６】
前記分散機に、添加物を投入するための供給装置が接続されている請求の範囲第３項記載の管の洗浄装置。
【請求項７】
前記添加物が、水、窒素、イオン水、塩素、オゾン水、防錆剤および酸素からなる群から選択されるいずれか１種である請求の範囲第６項記載の管の洗浄装置。
【請求項８】
前記添加物が、銀イオン水である請求の範囲第７項記載の管の洗浄装置。
【請求項９】
車両に搭載されている請求の範囲第３項記載の管の洗浄装置。
【請求項１０】
井戸管内に、圧縮空気を間欠的にまたは連続的に打ち込むと同時に、高圧水を噴射して、該井戸管の内部を洗浄することを特徴とする井戸管の洗浄方法。
【請求項１１】
前記圧縮空気に代えて炭酸ガスを用い、該井戸管内の水中に溶存させた該炭酸ガスの作用と高圧水とにより該井戸管の内部を洗浄する請求の範囲第１０項記載の井戸管の洗浄方法。
【請求項１２】
前記高圧水を、前記井戸管の内壁面に対し斜め下方から噴射する請求の範囲第１０項記載の井戸管の洗浄方法。
【請求項１３】
圧縮空気または炭酸ガスを間欠的にまたは連続的に吐出させる分散機と、該分散機から吐出される圧縮空気または炭酸ガスを洗浄すべき井戸管内に流通させるホースと、高圧水を洗浄すべき井戸管内に噴射する高圧水洗浄装置とを具備することを特徴とする井戸管の洗浄装置。
【請求項１４】
前記高圧水洗浄装置が、高圧水を製造する高圧水製造機と、該高圧水製造機から吐出される高圧水を洗浄すべき井戸管内に流通させる高圧ホースと、該高圧ホースの先端部に取り付けられ、前記高圧水の噴射方向を調整可能な洗浄ノズルとを具備する請求の範囲第１３項記載の井戸管の洗浄装置。
【請求項１５】
前記分散機に、炭酸ガスを送り込むための炭酸ガス供給装置が接続されている請求の範囲第１３項記載の洗浄装置。
【請求項１６】
前記洗浄ノズルの位置を前記井戸管内の略中央部に保持するためのノズル保持具を備えた請求の範囲第１４項記載の洗浄装置。
【発明の詳細な説明】
技術分野
本発明は、管の洗浄方法およびその装置に関し、特には、ビルや工場等の管（給水管等）の内部を効率よく洗浄し、併せて、管の水漏れ具合を容易に調査することができる管の洗浄方法およびその装置に関する。また、本発明は、地下水を汲み上げるための井戸管の内部を、効率よくかつ短時間で洗浄することができる井戸管の洗浄方法およびその装置にも関する。
背景技術
一般建築物や集合住宅等には、飲料用やその他の用途のために、上水または雑用水を供給等するための管（給水管等）が設置されている。かかる管には、鋳鉄管、亜鉛めっき鋼管、鉛管、銅管、石綿セメント管、および硬質塩化ビニル管などがある。これらの管は、長期にわたる使用により内壁面に水垢やスケール、錆等が付着して不衛生となるため、従来より、建物等の散水栓から洗浄液を流し込んで管内を洗浄したり、あるいは、コンプレッサーにて圧縮された高圧水を管内に打ち込み、その水圧により管内に付着した水垢等を除去したりする方法が採られていた。また、先端にブラシを装着したワイヤーを管内に挿入して、ブラシ部分で管の内壁面を擦りながら水垢等を取り除く方法も行われていた。
しかし、洗浄液を使用して管内の洗浄を行った場合、水垢やスケール、錆等が完全に除去できないばかりでなく、洗浄液の残留により数日間は飲料水が使用できなくなるという問題があった。また、高圧水による水圧洗浄でも、管内に付着した水垢等を完全に除去することは困難であり、さらに、コンプレッサーや水タンク等の大掛かりな設備を必要とすることから、洗浄までに多くの作業工程を要するという難点もあった。
さらに、ブラシ付ワイヤーにて管の内壁面を擦る方法では、管の屈曲した部分の洗浄が困難であるうえ、管と同等の長さのワイヤーが必要となるため、実用面での問題があった。
一方、家庭や工場、農業地域等には、飲料水や農耕用水を得るための井戸が設けられている。井戸には、通常、掘り下げた穴内の土砂崩れを防ぐために、土管やヒューム管等の井戸管が収容されている。一般的な井戸管は、筒状ケーシング部と、複数の小孔を有するスクリーン部とで構成され、スクリーン部より浸透して井戸管の内部に溜った地下水は、随時ポンプにて汲み上げられる。
前述の住宅や建築物内における管の場合と同様、かかる井戸管の内壁にも、長期間の使用に伴い水垢やスケール、錆等が付着するため、衛生上の観点から、定期的に井戸管内を洗浄する必要がある。一般的な洗浄方法としては、第９図に示すように、井戸管１０２の内径より大きめのワイヤーブラシ１４０を上下させ、ケーシング部１０３およびスクリーン部１０４の内壁に付着した水垢等を除去する方法が挙げられる。このような作業で除去された井戸管１０２内の水垢や沈殿物等は、第１０図に示すように、コンプレッサー１４１にて高圧の空気を井戸管１０２内に送り込むことで、エアーの上昇と共に外部に排出される。
しかし、従来の井戸管内を洗浄する方法は、水垢を内壁から除去する作業とその水垢を井戸から排出する作業とが夫々分化されているため、多くの作業時間や手間が必要となり、洗浄コストも高額となっていた。
また、ブラシにより井戸管を洗浄する場合、洗浄中にブラシの先が湾曲したり折曲したりして、内壁に付着した水垢や錆び等を効率よく除去することができなかった。さらに、エアーを上昇させて水垢や沈殿を排出する方法では、大型の水垢や重量の嵩む沈殿物については、井戸管の外へ排出することが不可能であった。
そこで、本発明の目的は、上記問題点を解消して、住宅や建築物内における管の洗浄に際し、大掛かりな設備や作業工程を必要とせず、短時間で確実にかつ極めて衛生的に管の内壁面を洗浄し、併せて管の水漏れの調査も行うことができる管の洗浄方法およびその装置を提供することにあり、また、井戸管の洗浄に際し、作業時間や工程を削減して、短時間で容易にかつ効率よく井戸管の内部を洗浄することができる井戸管の洗浄方法およびその装置を提供することにもある。
発明の開示
上記課題を解決するために、本発明の管の洗浄方法は、管内に炭酸ガスを間欠的にまたは連続的に打ち込んで、該管内の水中に溶存した該炭酸ガスの発泡作用により該管の内部を洗浄することを特徴とするものである。ここで、管内に水を流通させることにより、溶存した炭酸ガスを容易に気化させることができ、気化した炭酸ガスの作用により、管の内壁に付着した水垢やスケール、錆等を短時間で確実に除去して、管の内部を洗浄することができる。また、この際、管の一部に亀裂が発生していた場合には、打ち込んだ炭酸ガスが亀裂部分より噴出するため、噴出音により管の亀裂部分を容易に発見することができ、管の洗浄と同時に水漏れ調査も行うことができる。さらに、飲料水にも用いられる炭酸ガスを使用するため、衛生面でも優れた特性を発揮する。
本発明の管の洗浄装置は、炭酸ガスが充填されたガスボンベと、該ガスボンベより送り込まれた炭酸ガスを間欠的にまたは連続的に吐出させる分散機と、該分散機と洗浄すべき管とを連通させる接続ホースとを備えることを特徴とする。これにより、コンプレッサーや大型水タンク等の大規模設備が不要となり、設備投資のコストや作業工程を削減することができる。
本発明の管の洗浄装置においては、分散機と接続ホースとの間に、管内の圧力が一定以上に達した場合に管内のガスおよび水を外部に排出させるための圧力弁が設けられていることが好ましく、これにより、注入した炭酸ガスの圧力による管の破裂を未然に防ぐことができる。
また、本発明の管の洗浄装置においては、分散機と接続ホースとの間に、粉末状の発泡剤を投入するための発泡剤投入器が接続されていることが好ましい。かかる発泡剤投入器により、接続ホースを介して管内に発泡剤を投入することにより、ガスボンベより送り込まれた炭酸ガスの発泡力と、粉末の発泡剤の発泡作用との相乗効果で、管の内壁に付着した水垢やスケール、錆等をより一層効率よく除去することができる。また、ガスボンベ内の炭酸ガスの量が欠如した場合でも、発泡剤により管内を発泡洗浄することができる。
さらに、本発明の管の洗浄装置においては、分散機に、添加物を投入するための供給装置が接続されていることが好ましい。この場合、かかる供給装置により投入する添加物を水、特には温水、窒素、イオン水、塩素、オゾン水、防錆剤および酸素からなる群から選択されるいずれか１種、特には銀イオン水とすることにより、炭酸ガスの発泡を促進させて管内の洗浄力を向上させると共に、管の消毒や殺菌の効果をも得ることができ、錆等の再度の発生を未然に防ぐことができる。
本発明の管の洗浄装置は、好適には車両に搭載して用いることができ、これにより給水管等の洗浄現場まで迅速かつ容易に移動させることができる。
また、上記課題を解決するために、本発明の井戸管の洗浄方法は、井戸管内に、圧縮空気を間欠的にまたは連続的に打ち込むと同時に、高圧水を噴射して、該井戸管の内部を洗浄することを特徴とするものである。これにより、打ち込んだ圧縮空気の空気衝撃波で井戸管の内壁が洗浄されるとともに、次々打ち込まれる圧縮空気が井戸水内を上昇しながら拡大して大気泡部を形成し、この大気泡部に高圧水が噴射されることで、高圧水により直接的に管の内壁に付着した水垢等を剥離、洗浄することができる。
また、本発明の井戸管の洗浄方法においては、圧縮空気に代えて炭酸ガスを用い、井戸管内の水中に溶存させた炭酸ガスの作用と高圧水とにより井戸管の内部を好適に洗浄することができる。この場合、前述の管の場合と同様に、打ち込まれた炭酸ガスは井戸水に溶解し、しかる後、井戸管内を上昇しながら気化して発泡することで、その発泡作用にて井戸管の内壁に付着した水垢やスケール、錆等を短時間で強力に剥離、除去する。
さらに、本発明の井戸管の洗浄方法においては、高圧水を、井戸管の内壁面に対し斜め下方から噴射することにより、気泡の上昇とともに、水垢等を強力に、効率よく上部に送り出すことができる。
本発明の井戸管の洗浄装置は、圧縮空気または炭酸ガスを間欠的にまたは連続的に吐出させる分散機と、該分散機から吐出される圧縮空気または炭酸ガスを洗浄すべき井戸管内に流通させるホースと、高圧水を洗浄すべき井戸管内に噴射する高圧水洗浄装置とを具備することを特徴とするものである。これにより、井戸管内に付着した水垢の洗浄と、剥離した水垢や沈殿物の排出とを一度の作業で同時に行うことができ、作業性の向上とコストの削減が可能となる。
本発明の井戸管の洗浄装置においては、高圧水洗浄装置が、高圧水を製造する高圧水製造機と、該高圧水製造機から吐出される高圧水を洗浄すべき井戸管内に流通させる高圧ホースと、該高圧ホースの先端部に取り付けられ、高圧水の噴出方向を調整可能な洗浄ノズルとを具備することが好適である。また、分散機に、炭酸ガスを送り込むための炭酸ガス供給装置を接続することにより、井戸管内に炭酸ガスを打ち込むこともできる。
さらに、本発明の井戸水の洗浄装置においては、洗浄ノズルの位置を井戸管内の略中央部に保持するためのノズル保持具を設けることにより、圧縮空気または炭酸ガスの吐出と高圧水の噴射を一定の位置で行うことができ、井戸管内を均一に洗浄することができる。
発明を実施するための最良の形態
以下、本発明の具体的な実施の形態について詳細に説明する。
まず、本発明の管の洗浄方法およびその装置の実施の形態について説明する。第１図は、本発明の管の洗浄装置の一例を示す全体概略図である。
図示する管の洗浄装置１は、圧縮した炭酸ガスａを充填したガスボンベ１０と、ガスボンベ１０より送り込まれた炭酸ガスａを連続的にまたは間欠的に吐出させることのできる分散機２０と、この分散機２０と洗浄すべき管２とを連通させる接続ホース３０とを備えている。
ガスボンベ１０はガス管１１にて複数連結され、開閉弁１２を介在してガスホース１３に接続されている。また、このガスホース１３の反対側の端部は分散機２０に連結されており、ガスボンベ１０内の炭酸ガスａはガスホース１３を通じて分散機２０内に送り込まれる。
分散機２０は、ガスボンベ１０より送り込まれた炭酸ガスａを、適宜間隔で間欠的にまたは連続的に管２内に吐出させるものであり、炭酸ガスａの吐出時間や間欠時間を調節するタイマー２１と、吐出するガス量を調節する風量計２２と、炭酸ガスａのガス圧を調整する風圧計２３と、さらにそれらの計器を始動または停止させるスイッチ２４とを備えている。
また、分散機２０と接続ホース３０との間は連結管２５により接続されており、連結管２５に設けられた開閉バルブ２６の把手２７を適宜操作することにより、分散機２０より吐出された炭酸ガスａを、接続ホース３０を介して管２内に送り込むことができる。接続ホース３０は、例えば、図示するように、ホースリール３１に巻回しておくことができ、その反対側の端部は、連結具３２を介して管２と連結される。
図示するように、分散機２０と接続ホース３０との間には、炭酸ガスａの注入により管２内の圧力が一定以上に達した場合に、管２内の炭酸ガスａおよび水を排出口２８から外部に排出させるための圧力弁２９を設けておくことが好ましい。圧力弁２９を設けることにより、炭酸ガスａの圧力により管２が破裂するのを未然に防ぐことができる。
また、洗浄装置１は、粉末状の発泡剤を投入するための発泡剤投入器４０を備えていることが好ましく、かかる発泡剤投入器４０は、分散機２０と接続ホース３０との間、図示する例では連結管２５に接続することができる。発泡剤投入器４０は、主として、粉末状の発泡剤を収容する収容器４１と、収容器４１内の発泡剤を投入管４３を介して連結管２５内に送り込むエアーコンプレッサー４２とで構成されている。また、投入管４３と連結管２５との連結部分には、発泡剤投入器４０から送り出された発泡剤を連結管２５内に間欠的に送り込むための圧力弁４４が設置されている。
発泡剤投入器４０にて、分散機２０と接続ホース３０との間で発泡剤を投入することにより、ガスボンベ１０から送り出される炭酸ガスａの発泡力と、粉末の発泡剤の発泡作用とが相乗されて、管２の内壁に付着した水垢やスケール、錆等をより一層効率よく除去することができる。また、ガスボンベ１０内の炭酸ガスａが欠如した場合でも、発泡剤により管２内を発泡洗浄することができる。
さらに、洗浄装置１は、液体、気体または粉体等の添加物を分散機２０内に投入するための供給装置５０を備えていることが好ましい。供給装置５０は、供給管５１により分散機２０と連通しており、供給装置５０内に収容された添加物を、注入機（図示せず）等で分散機２０内に送り込むものである。供給装置５０より送り込まれた添加物は、分散機２０内の炭酸ガスａと混合されて管２内に吐出される。
かかる添加物としては、例えば、水、特には温水、窒素、イオン水、特には銀イオン水、塩素、オゾン水、防錆剤および酸素などが挙げられる。添加物として適宜量の水を分散機２０内に送り込むことにより、管２内への送水量を増加させて炭酸ガスａの発泡力を安定した状態に保つことができ、特に、４０〜８０℃程度の温水を用いた場合には、炭酸ガスａの発泡力をより向上することができ、管２の内壁面の洗浄効果が向上する。また、窒素を用いた場合には、炭酸ガスａの作用で管２の内壁に付着した水垢等を除去できることに加え、窒素の効果にて管２の内壁の酸化を防ぐことが可能となる。さらに、イオン水を用いた場合には、管２内を流れる水の分子が小さくなって炭酸ガスａによる洗浄力を向上させることができ、中でも、銀イオン水においては、さらに、管２内の殺菌、消毒効果をも得ることができ、かつ、毒性を有しないため、特に好ましい。さらにまた、塩素を用いた場合には、塩素の有する酸化、漂白、消毒性の特性により、管２内の浄化洗浄力を高めることができ、オゾン水を用いた場合には、炭酸ガスａの発泡力とオゾン水の特性とにより、管２内の洗浄、殺菌および消毒を同時に行うことができる。さらにまた、防錆剤を用いれば、管２の内壁における錆の発生を抑えることができ、酸素を用いた場合には、炭酸ガスａの発泡力を高めて管２内の浄化を促進することができる。
また、本発明の洗浄装置１は、第５図に示すように、車両５の荷台に搭載して、給水管等の洗浄現地まで迅速かつ容易に移動させることができる。この場合、長状の接続ホース３０をホースリール３１に巻回しておくことにより、洗浄すべき管の配置等に応じた機動的な処置が可能となる。
次に、本発明の管の洗浄方法について説明する。
第３図は、アパートやマンション等の給水管を洗浄する際の様子を示している。この場合には、受水槽７に連結された給水管６に洗浄装置１を設置して、給水管６内の壁面に付着した水垢等を除去した後、蛇口８を開いて洗浄水を排水させる。また、第４図は、工場等の大型建物の給水管９を洗浄する状態を示している。この場合には、受水槽７内に洗浄装置１を設置して給水管９内の洗浄を行っている。
一般的な洗浄方法としては、まず、第１図に示すように、メーター３内の止弁を閉めてから、洗浄すべき管２に接続ホース３０の連結具３２を連結する。次に、管２の太さや長さに応じて、分散機２０のタイマー２１、風量計２２および風圧計２３を調節する。通常は、炭酸ガスａの吐出の間欠時間を１〜３秒、好適には１〜２秒、休止を２〜４秒、好適には２〜３秒とし、繰り返して約２０分前後作動させることが好ましい。また、風圧は、０．４〜１．０気圧、特には０．８〜１．０気圧とすることが好ましい。
その後、開閉弁１２を開いてガス管１１とガスホース３とを連通させ、スイッチ２４にて分散機２０を始動させて、開閉バルブ２６の把手２７を操作することにより接続ホース３０を介して炭酸ガスａを管２内に吐出させる。
管２内に吐出された炭酸ガスａは、管内の水に溶解し、しかる後、第２図に示すように、管２内の流水作用により炭酸ガスａが気化して、その発泡作用にて、管２の内壁に付着した水垢やスケール、錆等を、短時間で強力に剥離、除去する。また、図示するように、管２の一部に亀裂４等が発生していた場合には、亀裂４部分より炭酸ガスａが噴出するため、その噴出音にて管２の亀裂を発見することができ、管２の洗浄と同時に水漏れ調査も行うことができる。炭酸ガスａを吐出した後は水を流通させて、剥離された水垢等を排出する。
洗浄作業中に、分散機２０から吐出された炭酸ガスａのガス圧により管２内の圧力が一定以上に上昇した場合には、圧力弁２９が開いて管２内の炭酸ガスａおよび水が排出口２８から外部に排出される。これにより、炭酸ガスａの圧力で管２が破裂することを未然に防ぐことができる。なお、圧力弁２９の気圧の設定は、給水管の太さや長さに応じて、適宜調節することが好ましい。
また、状況に応じて、発泡剤投入器４０を作動させて連結管２５内に発泡剤を投入することが好ましく、この場合、ガスボンベ１０より送り込まれた炭酸ガスａの発泡力と、粉末の発泡剤の発泡作用とが相乗化されて、管２の内壁に付着した水垢やスケール、錆等をより一層効率よく除去することができる。
さらに、管２の太さや汚れ具合に応じて、供給装置５０から水、特には温水、窒素、イオン水、特には銀イオン水、塩素、オゾン水、防錆剤、酸素等を分散機２０に送り込んで、炭酸ガスａの発泡を促進するとともに、管２内の殺菌や消毒を図り、また、洗浄力を向上させることも可能である。
次に、本発明の井戸管の洗浄方法およびその装置について説明する。
第８図に、本発明の一実施の形態に係る井戸管の洗浄装置１０１の全体図を示す。図示するように、洗浄装置１０１は、圧縮空気ｂを適宜間隔で間欠的にまたは連続的に井戸管１０２内にホース１１１を介して吐出させる分散機１１０と、高圧水ｃを井戸管１０２内に噴射する高圧水洗浄装置とを備えている。
分散機１１０に接続されるホース１１１は、図示するように、後述する高圧水洗浄装置の高圧ホース１２１に連結具１０５を介して併設されている。また、分散機１１０は、図示はしないが、圧縮空気ｂの吐出時間や間欠時間を調節するタイマーや、吐出する空気量を調節する風量計、空気圧を調整する風圧計等を夫々具備している。
一方、高圧水洗浄装置は、図示するように、高圧水ｃを製造する高圧水製造機１２０と、高圧水製造機１２０から吐出される高圧水ｃを井戸管１０２内に流通させる高圧ホース１２１と、高圧ホース１２１の先端部に取り付けられた洗浄ノズル１２２とを具備している。
第８図に示す洗浄装置の井戸管内に挿入する先端部分を、第６図に拡大して示す。図示するように、洗浄ノズル１２２は筒状に形成され、高圧ホース１２１から送り込まれた高圧水ｃの噴射方向を調整するための吐出口１２３が設けられている。これにより、第７図に示すように、高圧水ｃを、井戸管１０２の内壁面に対し斜め下方から、即ち、洗浄ノズル１２２から斜め上方に勢い良く噴射することができるようになっている。また、洗浄ノズル１２２は、本体部分を適宜速度で回転させながら高圧水ｃを放出させてもよく、これにより井戸管１０２の洗浄効率を高めることができる。
また、本発明の井戸管の洗浄装置においては、第８図に示すように、分散機１１０に、炭酸ガス供給装置１１２が接続されていることが好適である。この炭酸ガス供給装置１１２の内部には、例えば、炭酸ガスを充填した複数のガスボンベが収容されており、これらガスボンベがガス管を介して分散機１１０に接続されて、これにより分散機１１０から炭酸ガスが供給できるようになっている。炭酸ガス供給装置１１２から送り込まれた炭酸ガスは圧縮空気の場合と同様にホース１１１の先端より井戸管１０２の内部に打ち込まれ、吐出された炭酸ガスは井戸水に溶解し、しかる後、井戸管１０２内を上昇しながら炭酸ガスが気化し、気泡が拡大して、その発泡作用と上述の高圧水ｃの作用とが相まって井戸管１０２の内壁に付着した水垢やスケール、錆等を短時間で強力に剥離、除去することができる。
また、本発明の井戸管の洗浄装置においては、第６図等に示すように、洗浄ノズル１２２の上部に、ノズル保持具１３０を設けておくことが好ましい。洗浄時に井戸管１０２内で洗浄ノズル１２２から高圧水を噴射した場合、高圧水の圧力により洗浄ノズル１２２が井戸管１０２内で揺動しやすくなるが、ノズル保持具１３０を設けておくことにより、高圧水を噴射した際にも洗浄ノズル１２２の位置を常に井戸管１０２内の略中央部に安定的に保持することが可能となる。
ノズル保持具１３０は、例えば、図示するように、高圧ホース１２１に外嵌される軸体１３１と、この軸体１３１の外周面から突出して設置された枠体１３２とで構成することができる。枠体１３２は、例えば、図示するように、軸体１３１を中心として、周方向に等間隔で３本のアームが放射状に伸びる形状とすることができ、３本の枠体１３２によって形成される円の径を井戸管１０２の内径より若干小径とすることにより、ノズル１２２を井戸管１０２内の中央部に良好に保持することができる。従って、ノズル保持具１３０は、井戸管１０２の内径に応じて交換自在としておくことが好ましい。
次に、本発明の井戸管の洗浄方法について説明する。
まず、高圧水製造機１２０に接続した高圧ホース１２１および洗浄ノズル１２２に、洗浄すべき井戸管の内径に応じた径を有するノズル保持具１３０を取付け、これに、分散機１１０に接続されたホース１１１を、連結具１０５を用いて一体的に固定する。この洗浄装置の先端部分を、第８図に示すように、滑車１０６等を介して井戸管１０２内に降下させていく。洗浄ノズル１２２が井戸管１０２の底部に到達した後、分散機１１０および高圧水製造機１２０のスイッチを入れる。
分散機１１０は、圧縮空気ｂを適宜間隔で間欠的に（好適には打ち込みを一秒、停止を２秒程度）または連続的にホース１１１内に送り出し、これにより、ホース１１１の先端から圧縮空気ｂが井戸水ｗ内に打ち込まれる。打ち込まれた圧縮空気ｂは、第７図および第８図に示すように、井戸水ｗ内を上昇しながら気泡を拡大させ、この拡大した気泡の作用により、井戸管１０２の内壁に付着した水垢やスケール、錆等を剥離し、除去することができる。
また、ホース１１１から圧縮空気ｂが放出されると同時に、高圧ホース１２１には高圧水製造機１２０から毎秒１００〜２００ｍｌ程度の高圧水ｃが送り込まれ、洗浄ノズル１２２の吐出口１２３から斜め上方に勢いよく噴射される。そのため、圧縮空気ｂの拡大により井戸管１０２内で形成される大気泡部ｄを介して高圧水ｃが直接的に井戸管１０２の壁面に吹き付けられ、井戸管１０２内に付着した水垢や錆び等をより確実にかつ効率よく除去することができる。
本発明においては、圧縮空気ｂおよび高圧水ｃを放出しなから洗浄ノズル１２２を上下動させて井戸管１０２内の洗浄作業を行うことが好適である。なお、剥離した水垢や沈殿物は、圧縮空気ｂの井戸水ｗ内の上昇作用と斜め上方へ放出される高圧水ｃの勢いとにより、確実にかつ効率よく浮上して、井戸管１０２の外部に排出されることになる。
また、井戸管１０２の汚れ具合に応じて、炭酸ガス供給装置１１２を作動させ、炭酸ガスをホース１１１の先端より管内に打ち込むことが好ましい。炭酸ガス供給装置１１２から送り込まれた炭酸ガスは、分散機１１０にて適宜間隔で間欠的または連続的にホース１１１から打ち込まれて井戸水ｗに溶解し、しかる後、井戸管１０２内を上昇しながら気化して、その発泡作用にて井戸管１０２の内壁に付着した水垢やスケール、錆等を強力に除去することができる。
産業上の利用可能性
以上説明してきたように、本発明の管の洗浄方法およびその装置によれば、大掛かりな設備や作業工程を必要とせず、短時間で確実に、かつ、極めて衛生的に管の内壁面を洗浄することができ、併せて、管の水漏れの調査を行うことも可能となる。
また、本発明の井戸管の洗浄方法および装置によれば、圧縮空気、特には炭酸ガスと高圧水との相乗効果により、作業時間や工程を削減して、短時間で容易にかつ効率よく井戸管の内部を洗浄することができる。
【図面の簡単な説明】
第１図は、本発明の管の洗浄装置の一例を表す全体概略図である。
第２図は、本発明の管の洗浄方法および洗浄装置により洗浄している状態を表す管の断面図である。
第３図は、本発明の管の洗浄装置を用いてアパートやマンション内の管を洗浄する状態を表す概略図である。
第４図は、本発明の管の洗浄装置を用いて工場等の大型建物内の管を洗浄する状態を表す概略図である。
第５図は、本発明の管の洗浄装置を車両に搭載した状態を表す概略図である。
第６図は、本発明の井戸管の洗浄装置の一好適例の、井戸管内に挿入する先端部分を表す斜視図である。
第７図は、第６図に示す洗浄装置の使用状態を表す断面図である。
第８図は、第６図に示す洗浄装置を用いて井戸管の洗浄を行う様子を表す全体概略図である。
第９図は、従来の井戸管の洗浄方法の一例を表す該略図である。
第１０図は、従来の井戸管の洗浄方法の他の例を表す該略図である。
【図１】
2002055225.tif 000003
【図２】
2002055225.tif 000004
【図３】
2002055225.tif 000005
【図４】
2002055225.tif 000006
【図５】
2002055225.tif 000007
【図６】
2002055225.tif 000008
【図７】
2002055225.tif 000009
【図８】
2002055225.tif 000010
【図９】
2002055225.tif 000011
【図１０】
2002055225.tif 000012
【手続補正書】
【提出日】平成14年6月10日(2002.6.10)
【手続補正１】
【補正対象書類名】明細書
【補正対象項目名】特許請求の範囲
【補正方法】変更
【補正の内容】
【特許請求の範囲】
【請求項１】
常時水で満たされている給水管の管内に炭酸ガスを間欠的にまたは連続的に打ち込んで、該管内の水中に溶存した該炭酸ガスの発泡作用により該管の内部を洗浄することを特徴とする管の洗浄方法。
【請求項２】
前記管内に水を流通させることにより、前記溶存した炭酸ガスを気化させ、気化した該炭酸ガスの作用により該管の内部を洗浄する請求の範囲第１項記載の管の洗浄方法。
【請求項３】
炭酸ガスが充填されたガスボンベと、該ガスボンベより送り込まれた炭酸ガスを間欠的にまたは連続的に吐出させる分散機と、該分散機と、常時水で満たされている給水管の、洗浄すべき管とを連通させる接続ホースとを備えることを特徴とする管の洗浄装置。
【請求項４】
前記分散機と接続ホースとの間に、前記管内の圧力が一定以上に達した場合に該管内のガスおよび水を外部に排出させるための圧力弁が設けられている請求の範囲第３項記載の管の洗浄装置。
【請求項５】
前記分散機と接続ホースとの間に、粉末状の発泡剤を投入するための発泡剤投入器が接続されている請求の範囲第３項記載の管の洗浄装置。
【請求項６】
前記分散機に、添加物を投入するための供給装置が接続されている請求の範囲第３項記載の管の洗浄装置。
【請求項７】
前記添加物が、水、窒素、イオン水、塩素、オゾン水、防錆剤および酸素からなる群から選択されるいずれか１種である請求の範囲第６項記載の管の洗浄装置。
【請求項８】
前記添加物が、銀イオン水である請求の範囲第７項記載の管の洗浄装置。
【請求項９】
車両に搭載されている請求の範囲第３項記載の管の洗浄装置。
【請求項１０】
井戸管内に、炭酸ガスを間欠的にまたは連続的に打ち込むと同時に、高圧水を噴射して、該井戸管内の水中に溶存させた該炭酸ガスの作用と高圧水とにより該井戸管の内部を洗浄することを特徴とする井戸管の洗浄方法。
【請求項１１】
削除
【請求項１２】
前記高圧水を、前記井戸管の内壁面に対し斜め下方から噴射する請求の範囲第１０項記載の井戸管の洗浄方法。
【請求項１３】
炭酸ガスを間欠的にまたは連続的に吐出させる分散機と、該分散機から吐出される炭酸ガスを洗浄すべき井戸管内に流通させるホースと、高圧水を洗浄すべき井戸管内に噴射する高圧水洗浄装置とを具備することを特徴とする井戸管の洗浄装置。
【請求項１４】
前記高圧水洗浄装置が、高圧水を製造する高圧水製造機と、該高圧水製造機から吐出される高圧水を洗浄すべき井戸管内に流通させる高圧ホースと、該高圧ホースの先端部に取り付けられ、前記高圧水の噴射方向を調整可能な洗浄ノズルとを具備する請求の範囲第１３項記載の井戸管の洗浄装置。
【請求項１５】
前記分散機に、炭酸ガスを送り込むための炭酸ガス供給装置が接続されている請求の範囲第１３項記載の洗浄装置。
【請求項１６】
前記洗浄ノズルの位置を前記井戸管内の略中央部に保持するためのノズル保持具を備えた請求の範囲第１４項記載の洗浄装置。
【国際調査報告】
2002055225.tif 000013
2002055225.tif 000014
2002055225.tif 000015
2002055225.tif 000016